(57)【特許請求の範囲】
【請求項１】
サービングセルによってサービスされる第１の被サービスユーザ機器（ＵＥ）のワイヤレス通信の方法であって、
今度のダウンリンクデータチャネルが少なくとも１つの第２の被サービスＵＥについてのスケジューリング情報を含むことを知らせる物理ダウンリンク制御チャネルを受信し、
前記サービングセルによってサービスされる少なくとも１つの第２の被サービスＵＥについての前記スケジューリング情報を含む前記ダウンリンクデータチャネルを受信することと、
信号を受信することと、前記受信された信号は、前記第１の被サービスＵＥに向けられた第１の信号と、前記少なくとも１つの第２の被サービスＵＥに向けられた第２の信号とを備え、
チャネル推定プロシージャより前にまたは当該チャネル推定プロシージャ中に、前記第２の信号による干渉を抑圧することと、前記干渉の抑圧は、前記受信されたスケジューリング情報に基づく、
を備える、方法。
【請求項２】
前記第２の信号による干渉を抑圧することは、前記サービングセルから前記少なくとも１つの第２の被サービスＵＥへの制御チャネルまたはデータチャネルの送信を抑圧することを備える、請求項１記載の方法。
【請求項３】
前記制御チャネルは、物理制御フォーマットインジケータチャネル（ＰＣＦＩＣＨ）、物理ダウンリンク制御チャネル（ＰＤＣＣＨ）、発展型ＰＤＣＣＨ（ｅＰＤＣＣＨ）および物理ハイブリッド自動再送要求インジケータチャネル（ＰＨＩＣＨ）のうちの１つ以上を含む、請求項２記載の方法。
【請求項４】
前記チャネル推定プロシージャは、隣接セルのチャネル推定を実行することをさらに備え、
前記方法は、前記チャネル推定に基づいて、前記隣接セルからの干渉送信を除去することをさらに備える、
請求項１記載の方法。
【請求項５】
前記チャネル推定プロシージャは、前記サービングセルまたは隣接セルのうちの１つのためのものである、請求項１記載の方法。
【請求項６】
前記第１の信号と前記第２の信号とは、マルチユーザ多入力多出力（ＭＵ−ＭＩＭＯ）方法を介して送信される重複する信号である、請求項１記載の方法。
【請求項７】
前記スケジューリング情報は、物理ダウンリンク制御チャネル（ＰＤＣＣＨ）または発展型ＰＤＣＣＨ（ｅＰＤＣＣＨ）において受信される、請求項１記載の方法。
【請求項８】
前記ＰＤＣＣＨまたは前記ｅＰＤＣＣＨは、前記第２の信号の干渉除去を行うための専用のＤＣＩフォーマットを使用して受信される、請求項７記載の方法。
【請求項９】
スケジューリング情報を受信することは、無線リソース制御（ＲＣＣ）シグナリングを通して無線ネットワーク一時識別子（ＲＮＴＩ）のセットを受信することを備え、ＲＮＴＩの前記セットはユニキャストＲＮＴＩのセットからのものであり、前記ＰＤＣＣＨまたは前記ｅＰＤＣＣＨは、ＲＮＴＩの前記セットのうちの１つのＲＮＴＩを使用して受信される、請求項７記載の方法。
【請求項１０】
前記スケジューリング情報は、前記サービングセルから受信されたＰＤＳＣＨを除去するための情報を含む、請求項１記載の方法。
【請求項１１】
前記スケジューリング情報は、複数のＰＤＳＣＨを除去するための情報を含む、請求項１記載の方法。
【請求項１２】
スケジューリング情報を受信することは、
無線ネットワーク一時識別子（ＲＮＴＩ）のセットを受信することと、
前記ＲＮＴＩを使用して第２の被サービスＵＥに向けられたＰＤＣＣＨまたはｅＰＤＣＣＨを復号することと、
前記復号されたＰＤＣＣＨまたは前記復号されたｅＰＤＣＣＨから第２の被サービスＵＥについての前記スケジューリング情報を取得することと
を備える、請求項１記載の方法。
【請求項１３】
ワイヤレス通信のための装置であって、請求項１記載の方法を行う手段を具備する装置。
【請求項１４】
請求項１記載の方法をコンピュータに実行させるためのプログラムを記録したコンピュータ読み取り可能な記録媒体。
【発明の詳細な説明】
【技術分野】
【０００１】
関連出願の相互参照
[0001]本出願は、その全体が参照により本明細書に明確に組み込まれる、２０１３年１１月８日に出願された「Ｓｉｇｎａｌｉｎｇ  ｔｏ  Ｅｎａｂｌｅ  Ｓｅｒｖｉｎｇ  Ｃｅｌｌ  Ｉｎｔｅｒｆｅｒｅｎｃｅ  Ｃａｎｃｅｌｌａｔｉｏｎ」と題する米国仮出願第６１／９０２，０７７号、および２０１４年９月３日に出願された「Ｓｉｇｎａｌｉｎｇ  ｔｏ  Ｅｎａｂｌｅ  Ｓｅｒｖｉｎｇ  Ｃｅｌｌ  Ｉｎｔｅｒｆｅｒｅｎｃｅ  Ｓｕｐｐｒｅｓｓｉｏｎ」と題する米国非仮出願第１４／４７６，４７６号の利益を主張する。
【０００２】
[0002]本開示は、一般に通信システムに関し、より詳細には、サービングセル干渉抑圧または除去を可能にするためのシグナリングに関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ：ｔｉｍｅ  ｄｉｖｉｓｉｏｎ  ｍｕｌｔｉｐｌｅ  ａｃｃｅｓｓ）システム、周波数分割多元接続（ＦＤＭＡ：ｆｒｅｑｕｅｎｃｙ  ｄｉｖｉｓｉｏｎ  ｍｕｌｔｉｐｌｅ  ａｃｃｅｓｓ）システム、直交周波数分割多元接続（ＯＦＤＭＡ：ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、シングルキャリア周波数分割多元接続（ＳＣ−ＦＤＭＡ：ｓｉｎｇｌｅ−ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システム、および時分割同期符号分割多元接続（ＴＤ−ＳＣＤＭＡ：ｔｉｍｅ  ｄｉｖｉｓｉｏｎ  ｓｙｎｃｈｒｏｎｏｕｓ  ｃｏｄｅ  ｄｉｖｉｓｉｏｎ  ｍｕｌｔｉｐｌｅ  ａｃｃｅｓｓ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標）：Ｌｏｎｇ  Ｔｅｒｍ  Ｅｖｏｌｕｔｉｏｎ）である。ＬＴＥは、第３世代パートナーシッププロジェクト（３ＧＰＰ（登録商標）：Ｔｈｉｒｄ  Ｇｅｎｅｒａｔｉｏｎ  Ｐａｒｔｎｅｒｓｈｉｐ  Ｐｒｏｊｅｃｔ）によって公表されたユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）モバイル規格の拡張のセットである。ＬＴＥは、スペクトル効率を改善すること、コストを下げること、サービスを改善すること、新しいスペクトルを利用すること、およびダウンリンク（ＤＬ：ｄｏｗｎｌｉｎｋ）上ではＯＦＤＭＡを使用し、アップリンク（ＵＬ：ｕｐｌｉｎｋ）上ではＳＣ−ＦＤＭＡを使用し、多入力多出力（ＭＩＭＯ：ｍｕｌｔｉｐｌｅ−ｉｎｐｕｔ  ｍｕｌｔｉｐｌｅ−ｏｕｔｐｕｔ）アンテナ技術を使用して他のオープン規格とより良く統合することによって、モバイルブロードバンドインターネットアクセスをより良くサポートするように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]サービングセル送信（ｓｅｒｖｉｎｇ  ｃｅｌｌ  ｔｒａｎｓｍｉｓｓｉｏｎ）の抑圧が、サービングセルまたは隣接セルのチャネル推定を改善し得る。このことは、重複するＭＩＭＯ送信を有する第２の被サービスＵＥに向けられた受信されたサービングセル信号を抑圧するために、第２の被サービスＵＥについてのスケジューリング情報を使用することを含み得る。代替的に、このスケジューリング情報は、隣接セルのチャネル推定を改善するために第２の被サービスＵＥのための受信された重複しないサービングセル信号を抑圧するのを助け得る。
【０００６】
[0006]本開示の一態様では、方法、コンピュータプログラム製品、および装置が提供される。本装置、たとえば、第１の被サービスＵＥは、本装置をサービスするサービングセルについてのスケジューリング情報を受信する。スケジューリング情報は、サービングセルによってサービスされる少なくとも１つの第２の被サービスＵＥについてのものである。本装置は信号を受信し、受信された信号は、本装置に向けられた第１の信号と、少なくとも１つの第２の被サービスＵＥに向けられた第２の信号とを含む。本装置は、隣接セルのチャネル推定の間に第２の信号による干渉を抑圧する。干渉抑圧は、受信されたスケジューリング情報に基づく。
【図面の簡単な説明】
【０００７】
【図１】[0007]ネットワークアーキテクチャの一例を示す図。
【図２】[0008]アクセスネットワークの一例を示す図。
【図３】[0009]ＬＴＥにおけるＤＬフレーム構造の一例を示す図。
【図４】[0010]ＬＴＥにおけるＵＬフレーム構造の一例を示す図。
【図５】[0011]ユーザプレーンおよび制御プレーンのための無線プロトコルアーキテクチャの一例を示す図。
【図６】[0012]アクセスネットワーク中の発展型ノードＢおよびユーザ機器の一例を示す図。
【図７】[0013]サービングセルからの信号と隣接セルからの信号とから生じる第１の被サービスＵＥにおける信号干渉を示す図。
【図８】[0014]サービングセルからの信号による第１の被サービスＵＥにおける干渉の抑圧の例示的な方法を示す図。
【図９】[0015]サービングセルからの信号によるＵＥにおける干渉を抑圧するためのＵＥにおけるワイヤレス通信の方法のフローチャート。
【図１０】[0016]図９の方法を実装する例示的な装置中の異なるモジュール／手段／構成要素間のデータフローを示す概念データフロー図。
【図１１】[0017]図９の方法を実装する処理システムを採用する装置のためのハードウェア実装形態の一例を示す図。
【発明を実施するための形態】
【０００８】
[0018]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【０００９】
[0019]次に、様々な装置および方法に関して電気通信システムのいくつかの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【００１０】
[0020]例として、要素、または要素の任意の部分、または要素の任意の組合せは、１つ以上のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つ以上のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１１】
[0021]したがって、１つ以上の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つ以上の命令またはコードとして符号化され得る。コンピュータ可読媒体はコンピュータ記憶媒体を含む。記憶媒体は、コンピュータによってアクセスされ得る任意の利用可能な媒体であり得る。限定ではなく、例として、そのようなコンピュータ可読媒体は、ランダムアクセスメモリ（ＲＡＭ）、読取り専用メモリ（ＲＯＭ）、電気的除去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。
【００１２】
[0022]図１は、ＬＴＥネットワークアーキテクチャ１００を示す図である。ＬＴＥネットワークアーキテクチャ１００は発展型パケットシステム（ＥＰＳ：Ｅｖｏｌｖｅｄ  Ｐａｃｋｅｔ  Ｓｙｓｔｅｍ）１００と呼ばれることがある。ＥＰＳ１００は、１つ以上のユーザ機器（ＵＥ）１０２と、発展型ＵＭＴＳ地上波無線アクセスネットワーク（Ｅ−ＵＴＲＡＮ：Ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ）１０４と、発展型パケットコア（ＥＰＣ：Ｅｖｏｌｖｅｄ  Ｐａｃｋｅｔ  Ｃｏｒｅ）１１０と、事業者のインターネットプロトコル（ＩＰ）サービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００１３】
[0023]Ｅ−ＵＴＲＡＮは、発展型ノードＢ（ｅＮＢ：ｅｖｏｌｖｅｄ  Ｎｏｄｅ  Ｂ）１０６と、他のｅＮＢ１０８と、マルチキャスト協調エンティティ（ＭＣＳ：Ｍｕｌｔｉｃａｓｔ  Ｃｏｏｒｄｉｎａｔｉｏｎ  Ｅｎｔｉｔｙ）１２８とを含む。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ＭＣＥ１２８は発展型マルチメディアブロードキャストマルチキャストサービス（ＭＢＭＳ：Ｍｕｌｔｉｍｅｄｉａ  Ｂｒｏａｄｃａｓｔ  Ｍｕｌｔｉｃａｓｔ  Ｓｅｒｖｉｃｅ）（ｅＭＢＭＳ）のために時間／周波数無線リソースを割り振り、ｅＭＢＭＳのために無線構成（たとえば、変調およびコーディング方式（ＭＣＳ：ｍｏｄｕｌａｔｉｏｎ  ａｎｄ  ｃｏｄｉｎｇ  ｓｃｈｅｍｅ））を決定する。ＭＣＥ１２８は別個のエンティティ、またはｅＮＢ１０６の一部であり得る。ｅＮＢ１０６はまた、基地局、ノードＢ、アクセスポイント、トランシーバ基地局、無線基地局、無線トランシーバ、トランシーバ機能、基本サービスセット（ＢＳＳ：ｂａｓｉｃ  ｓｅｒｖｉｃｅ  ｓｅｔ）、拡張サービスセット（ＥＳＳ：ｅｘｔｅｎｄｅｄ  ｓｅｒｖｉｃｅ  ｓｅｔ）、または何らかの他の好適な用語で呼ばれることがある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：ｓｅｓｓｉｏｎ  ｉｎｉｔｉａｔｉｏｎ  ｐｒｏｔｏｃｏｌ）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１４】
[0024]ｅＮＢ１０６はＥＰＣ１１０に接続される。ＥＰＣ１１０は、モビリティ管理エンティティ（ＭＭＥ：Ｍｏｂｉｌｉｔｙ  Ｍａｎａｇｅｍｅｎｔ  Ｅｎｔｉｔｙ）１１２と、ホーム加入者サーバ（ＨＳＳ）１２０と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンタ（ＢＭ−ＳＣ：Ｂｒｏａｄｃａｓｔ  Ｍｕｌｔｉｃａｓｔ  Ｓｅｒｖｉｃｅ  Ｃｅｎｔｅｒ）１２６と、パケットデータネットワーク（ＰＤＮ：Ｐａｃｋｅｔ  Ｄａｔａ  Ｎｅｔｗｏｒｋ）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８は、ＵＥのＩＰアドレス割振りならびに他の機能を与える。ＰＤＮゲートウェイ１１８とＢＭ−ＳＣ１２６とはＩＰサービス１２２に接続される。ＩＰサービス１２２は、インターネット、イントラネット、ＩＰマルチメディアサブシステム（ＩＭＳ：ＩＰ  Ｍｕｌｔｉｍｅｄｉａ  Ｓｕｂｓｙｓｔｅｍ）、ＰＳストリーミングサービス（ＰＳＳ：ＰＳ  Ｓｔｒｅａｍｉｎｇ  Ｓｅｒｖｉｃｅ）、および／または他のＩＰサービスを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ）エリアに属するｅＮＢ（たとえば、１０６、１０８）にＭＢＭＳトラフィックを配信するために使用され得、セッション管理（開始／停止)と、ｅＭＢＭＳ関係の課金情報を収集することとを担当し得る。
【００１５】
[0025]図２は、ＬＴＥネットワークアーキテクチャにおけるアクセスネットワーク２００の一例を示す図である。この例では、アクセスネットワーク２００は、いくつかのセルラー領域（セル）２０２に分割される。１つ以上のより低い電力クラスのｅＮＢ２０８は、セル２０２のうちの１つ以上と重複するセルラー領域２１０を有し得る。より低い電力クラスのｅＮＢ２０８は、フェムトセル（たとえば、ホームｅＮＢ（ＨｅＮＢ：ｈｏｍｅ  ｅＮＢ））、ピコセル、マイクロセル、またはリモートラジオヘッド（ＲＲＨ：ｒｅｍｏｔｅ  ｒａｄｉｏ  ｈｅａｄ）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ｅＮＢは、１つ以上の（たとえば、３つの）セル（セクタとも呼ばれる）をサポートし得る。「セル」という用語は、ｅＮＢの最小カバレージエリアを指すことができ、および／またはｅＮＢサブシステムサービングは特定のカバレージエリアである。さらに、「ｅＮＢ」、「基地局」、および「セル」という用語は、本明細書では互換的に使用され得る。
【００１６】
[0026]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Ｅｖｏｌｕｔｉｏｎ−Ｄａｔａ  Ｏｐｔｉｍｉｚｅｄ）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：３ｒｄ  Ｇｅｎｅｒａｔｉｏｎ  Ｐａｒｔｎｅｒｓｈｉｐ  Ｐｒｏｊｅｃｔ  ２）によって公表されたエアインターフェース規格であり、ＣＤＭＡを採用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形とを採用するユニバーサル地上波無線アクセス（ＵＴＲＡ：Ｕｎｉｖｅｒｓａｌ  Ｔｅｒｒｅｓｔｒｉａｌ  Ｒａｄｉｏ  Ａｃｃｅｓｓ）、ＴＤＭＡを採用するモバイル通信用グローバルシステム（ＧＳＭ（登録商標）：Ｇｌｏｂａｌ  Ｓｙｓｔｅｍ  ｆｏｒ  Ｍｏｂｉｌｅ  Ｃｏｍｍｕｎｉｃａｔｉｏｎｓ）、ならびに、ＯＦＤＭＡを採用する、発展型ＵＴＲＡ（Ｅ−ＵＴＲＡ：Ｅｖｏｌｖｅｄ  ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００１７】
[0027]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグナチャとともに（１つ以上の）ＵＥ２０６に到着し、これにより、（１つ以上の）ＵＥ２０６の各々はそのＵＥ２０６に宛てられた１つ以上のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００１８】
[0028]空間多重化は、概して、チャネル状態が良好であるときに使用される。チャネル状態があまり良好でないときは、送信エネルギーを１つ以上の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００１９】
[0029]以下の詳細な説明では、アクセスネットワークの様々な態様について、ＤＬ上でＯＦＤＭをサポートするＭＩＭＯシステムに関して説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（ｏｒｔｈｏｇｏｎａｌｉｔｙ）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：ｐｅａｋ−ｔｏ−ａｖｅｒａｇｅ  ｐｏｗｅｒ  ｒａｔｉｏ）を補償するために、ＳＣ−ＦＤＭＡをＤＦＴ拡散ＯＦＤＭ信号の形態で使用し得る。
【００２０】
[0030]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続するサブキャリアを含んでおり、各ＯＦＤＭシンボル中のノーマルサイクリックプレフィックスについて、時間領域中に７個の連続するＯＦＤＭシンボルを含んでおり、すなわち８４個のリソース要素を含んでいる。拡張サイクリックプレフィックスについて、リソースブロックは、時間領域中に６個の連続するＯＦＤＭシンボルを含んでおり、７２個のリソース要素を有する。Ｒ３０２、３０４として示されるリソース要素のいくつかはＤＬ基準信号（ＤＬ−ＲＳ：ＤＬ  ｒｅｆｅｒｅｎｃｅ  ｓｉｇｎａｌ）を含む。ＤＬ−ＲＳは、（共通ＲＳと呼ばれることもある）セル固有ＲＳ（ＣＲＳ：Ｃｅｌｌ−ｓｐｅｃｉｆｉｃ  ＲＳ）３０２と、ＵＥ固有ＲＳ（ＵＥ−ＲＳ：ＵＥ−ｓｐｅｃｉｆｉｃ  ＲＳ）３０４とを含む。ＵＥ−ＲＳ３０４は、対応する物理ＤＬ共有チャネル（ＰＤＳＣＨ：ｐｈｙｓｉｃａｌ  ＤＬ  ｓｈａｒｅｄ  ｃｈａｎｎｅｌ）がマッピングされるリソースブロック上で送信される。各リソース要素によって搬送されるビット数は変調方式に依存する。したがって、ＵＥが受信するリソースブロックが多いほど、また変調方式が高いほど、ＵＥのデータレートは高くなる。
【００２１】
[0031]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００２２】
[0032]ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：ｐｈｙｓｉｃａｌ  ＵＬ  ｃｏｎｔｒｏｌ  ｃｈａｎｎｅｌ）中で制御情報を送信し得る。ＵＥは、データセクション中の割り当てられたリソースブロック上の物理ＵＬ共有チャネル（ＰＵＳＣＨ：ｐｈｙｓｉｃａｌ  ＵＬ  ｓｈａｒｅｄ  ｃｈａｎｎｅｌ）中でデータまたはデータと制御情報の両方を送信し得る。ＵＬ送信は、サブフレームの両方のスロットにわたり得、周波数上でホッピングし得る。
【００２３】
[0033]初期システムアクセスを実行し、物理ランダムアクセスチャネル（ＰＲＡＣＨ：ｐｈｙｓｉｃａｌ  ｒａｎｄｏｍ  ａｃｃｅｓｓ  ｃｈａｎｎｅｌ）４３０中でＵＬ同期を達成するためにリソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みを行うことができる。
【００２４】
[0034]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２５】
[0035]ユーザプレーンでは、Ｌ２レイヤ５０８は、ネットワーク側のｅＮＢにおいて終端される、媒体アクセス制御（ＭＡＣ：ｍｅｄｉａ  ａｃｃｅｓｓ  ｃｏｎｔｒｏｌ）サブレイヤ５１０と、無線リンク制御（ＲＬＣ：ｒａｄｉｏ  ｌｉｎｋ  ｃｏｎｔｒｏｌ）サブレイヤ５１２と、パケットデータコンバージェンスプロトコル（ＰＤＣＰ：ｐａｃｋｅｔ  ｄａｔａ  ｃｏｎｖｅｒｇｅｎｃｅ  ｐｒｏｔｏｃｏｌ）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００２６】
[0036]ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよび再統合と、紛失データパケットの再送信と、ハイブリッド自動再送要求（ＨＡＲＱ：ｈｙｂｒｉｄ  ａｕｔｏｍａｔｉｃ  ｒｅｐｅａｔ  ｒｅｑｕｅｓｔ）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００２７】
[0037]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：ｒａｄｉｏ  ｒｅｓｏｕｒｃｅ  ｃｏｎｔｒｏｌ）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担当する。
【００２８】
[0038]図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５は、Ｌ２レイヤの機能を実装する。ＤＬでは、コントローラ／プロセッサ６７５は、様々な優先度メトリックに基づいてヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００２９】
[0039]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：ｆｏｒｗａｒｄ  ｅｒｒｏｒ  ｃｏｒｒｅｃｔｉｏｎ）と、様々な変調方式（たとえば、２位相シフトキーイング（ＢＰＳＫ：ｂｉｎａｒｙ  ｐｈａｓｅ−ｓｈｉｆｔ  ｋｅｙｉｎｇ）、４位相シフトキーイング（ＱＰＳＫ：ｑｕａｄｒａｔｕｒｅ  ｐｈａｓｅ−ｓｈｉｆｔ  ｋｅｙｉｎｇ）、Ｍ位相シフトキーイング（Ｍ−ＰＳＫ：Ｍ−ｐｈａｓｅ−ｓｈｉｆｔ  ｋｅｙｉｎｇ）、多値直交振幅変調（Ｍ−ＱＡＭ：Ｍ−ｑｕａｄｒａｔｕｒｅ  ａｍｐｌｉｔｕｄｅ  ｍｏｄｕｌａｔｉｏｎ））に基づいた信号コンスタレーションへのマッピングとを可能にするために、コーディングとインターリービングとを含む。次いで、コーディングされた変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Ｉｎｖｅｒｓｅ  Ｆａｓｔ  Ｆｏｕｒｉｅｒ  Ｔｒａｎｓｆｏｒｍ）を使用して互いに合成されて、時間領域ＯＦＤＭシンボルストリームを搬送する物理チャネルを生成する。ＯＦＤＭストリームは、複数の空間ストリームを生成するために空間的にプリコーディングされる。チャネル推定器６７４からのチャネル推定値は、符号化および変調方式を決定するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられ得る。各送信機６１８ＴＸは、送信のためにそれぞれの空間ストリームでＲＦキャリアを変調し得る。
【００３０】
[0040]ＵＥ６５０において、各受信機６５４ＲＸは、そのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行し得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Ｆａｓｔ  Ｆｏｕｒｉｅｒ  Ｔｒａｎｓｆｏｒｍ）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号のコンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いでコントローラ／プロセッサ６５９に与えられる。
【００３１】
[0041]コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、復号（ｄｅｃｉｐｈｅｒ）と、ヘッダ復元（ｄｅｃｏｍｐｒｅｓｓｉｏｎ）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００３２】
[0042]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００３３】
[0043]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００３４】
[0044]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３５】
[0045]コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。ＵＬでは、制御／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００３６】
[0046]干渉抑圧または除去は、リンク／システム性能を改善し得る。干渉は、共通基準信号（ＣＲＳ）、チャネル状態情報基準信号（ＣＳＩ−ＲＳ：ｃｈａｎｎｅｌ  ｓｔａｔｅ  ｉｎｆｏｒｍａｔｉｏｎ  ｒｅｆｅｒｅｎｃｅ  ｓｉｇｎａｌ）、復調基準信号（ＤＭＲＳ：ｄｅｍｏｄｕｌａｔｉｏｎ  ｒｅｆｅｒｅｎｃｅ  ｓｉｇｎａｌ）、測位基準信号（ＰＲＳ：ｐｏｓｉｔｉｏｎｉｎｇ  ｒｅｆｅｒｅｎｃｅ  ｓｉｇｎａｌ）、１次同期信号（ＰＳＳ）、２次同期信号（ＳＳＳ）など、基準信号に由来し得る。干渉はまた、物理制御フォーマットインジケータチャネル（ＰＣＦＩＣＨ：ｐｈｙｓｉｃａｌ  ｃｏｎｔｒｏｌ  ｆｏｒｍａｔ  ｉｎｄｉｃａｔｏｒ  ｃｈａｎｎｅｌ）、物理ハイブリッドＡＲＱインジケータチャネル（ＰＨＩＣＨ：ｐｈｙｓｉｃａｌ  ｈｙｂｒｉｄ−ＡＲＱ  ｉｎｄｉｃａｔｏｒ  ｃｈａｎｎｅｌ）、物理ダウンリンク制御チャネル（ＰＤＣＣＨ：ｐｈｙｓｉｃａｌ  ｄｏｗｎｌｉｎｋ  ｃｏｎｔｒｏｌ  ｃｈａｎｎｅｌ）、発展型ＰＤＣＣＨ（ｅＰＤＣＣＨ）、物理ブロードキャストチャネル（ＰＢＣＨ：ｐｈｙｓｉｃａｌ  ｂｒｏａｄｃａｓｔ  ｃｈａｎｎｅｌ）などの送信など、制御チャネル送信、および／または、物理ダウンリンク共有チャネル（ＰＤＳＣＨ：ｐｈｙｓｉｃａｌ  ｄｏｗｎｌｉｎｋ  ｓｈａｒｅｄ  ｃｈａｎｎｅｌ）送信など、データチャネル送信に由来し得る。
【００３７】
[0047]図７は、第１の被サービスＵＥ７０６と第２の被サービスＵＥ７０８とをサービスするサービングセル７０４、および第３の被サービスＵＥ７２２をサービスする隣接セル７０２に関与する信号干渉を示す図７００である。隣接セル７０２およびサービングセル７０４からの信号送信についての例示的なリソース要素図７１６、７１８が示されている。隣接セル７０２についての上側のリソース要素図７１６は、隣接セルからの基準信号（ＲＳ）トーン７２０と隣接セルからのＰＤＳＣＨトーン７１０との相対的な送信を示す。サービングセル７０４についての下側のリソース要素図７１８は、サービングセルからの参照信号（ＲＳ）トーン７２０と、第１の被サービスＵＥ７０６から向けられたサービングセルからのＰＤＳＣＨトーン７１２と、第２の被サービスＵＥ７０８に向けられたサービングセルからのＰＤＳＣＨトーン７１４との相対的な送信を示す。リソース要素図中に表されているトーンは、リソースブロック中の１つのリソース要素に対応する。説明しやすいように、リソースブロック全体は図中に示されていない。
【００３８】
[0048]第１の信号干渉シナリオでは、サービングセル７０４が第１の被サービスＵＥ７０６をサービスし、隣接セル７０２が第３の被サービスＵＥ７２２をサービスする。隣接セル７０２によって送信され、第３の被サービスＵＥ７２２から向けられた制御／データ７１０は、サービングセル７０４によって送信され、第１の被サービスＵＥに向けられた制御／データ７１２と重複または衝突することがある。この場合、第１の被サービスＵＥ７０６における隣接セル７０２からの干渉送信７１０の抑圧が、サービングセル７１２によって送信された制御／データ７１２のチャネル推定および復号を改善する。隣接セル７０２からの送信の抑圧は、たとえば、ＣＲＳ干渉除去（ＩＣ：ｉｎｔｅｒｆｅｒｅｎｃｅ  ｃａｎｃｅｌｌａｔｉｏｎ）、ＰＤＳＣＨ  ＩＣ、制御チャネルＩＣなどを含み得る。）
[0049]ここで、「除去」または「抑圧」は、いくつかの例を挙げれば、除去、緩和、ジョイント検出／復調、反復的除去／検出および復号を含む、任意の干渉処理技法を集合的に表す。除去または抑圧は、ハードまたはソフト除去であり得る。緩和技法は、ハードまたはソフトパンクチャリングを含み得る。ジョイント検出／復調技法は、いくつかの例を挙げれば、最尤（ＭＬ：ｍａｘｉｍｕｍ  ｌｉｋｅｌｉｈｏｏｄ）復調または低減複雑度ＭＬ復調を含み得る。
【００３９】
[0050]別の信号干渉シナリオでは、サービングセル７０４が、第１の被サービスＵＥ７０６と第２の被サービスＵＥ７０８とをサービスする。第２の被サービスＵＥ７０８に向けられた制御／データ７１４は、第１の被サービスＵＥ７０６に向けられた制御／データ７１２と重複または衝突する。この場合、第２の被サービスＵＥ７０８に向けられたサービングセル７０４からの干渉制御／データ送信７１４の抑圧が、第１の被サービスＵＥ７０６についてのリンク／システム性能を改善し得る。上記のことは、たとえば、マルチユーザ多入力多出力動作において起こり得る。
【００４０】
[0051]サービングセル７０４によって送信され、第２の被サービスＵＥ７０８に向けられた制御／データ７１４が、サービングセルによって送信され、第１の被サービスＵＥ７０６に向けられた制御／データ７１２と重複しない場合でも、第１の被サービスＵＥについてのリンク／システム性能は、第２の被サービスＵＥ７０８に向けられたサービングセル７０４からの制御／データ送信を除去することによって改善され得る。たとえば、上述のように第１の干渉シナリオでは、第１の被サービスＵＥ７０６が第１の被サービスＵＥに向けられた制御／データ７１２の送信を受信するために、隣接セル７０２に対して干渉抑圧を実行することが望ましいことがある。しかしながら、隣接セル７０２からの送信に対して干渉抑圧を実行するために、最初に、隣接セルのチャネルが推定される必要がある。隣接セル７０２のチャネル推定は、隣接セルのＲＳトーン７２０に基づく。隣接セル７０２のＲＳトーン７２０が、第２の被サービスＵＥ７０８に向けられたサービングセル７０４からの制御／データ送信７１４によって干渉される場合、隣接セル７０２のチャネル推定は不正確であり得る。
【００４１】
[0052]図７を参照すると、リソース要素図７１６、７１８中のＲＳトーン７２０の整合により、隣接セル７０２のＲＳトーン７２０が、第１の被サービスＵＥ７０６に向けられたサービングセル７０４からの制御／データトーン７１２、および第２の被サービスＵＥ７０８に向けられたサービングセルからの制御／データトーン７１４と衝突することに留意されたい。したがって、隣接セル７０２の正確なチャネル推定を取得するために、サービングセル７０４からの衝突する制御／データトーン７１２、７１４は、第１の被サービスＵＥ７０６において除去されるべきである。隣接セル７０２の正確なチャネル推定が取得されると、第１の被サービスＵＥ７０６は、隣接セル送信７１０の干渉抑圧を実行し得る。
【００４２】
[0053]衝突する制御／データトーン７１２、７１４の抑圧に関して、第１の被サービスＵＥ７０６は、それ自体の制御／データ７１２についてのスケジューリング情報を知っている。たとえば、スケジューリング情報はＰＤＣＣＨ復号から取得され得る。制御／データ７１２送信のそれの知識に基づいて、第１の被サービスＵＥ７０６はこれらの送信を抑圧することができる。第１の被サービスＵＥ７０６は、しかしながら、第２の被サービスＵＥ７０８に向けられたサービングセルの制御／データ７１４送信についてのスケジューリング情報を知らない。その結果、第１の被サービスＵＥがこれらの送信を抑圧することは困難である。これは、特に、ＰＤＳＣＨ送信についての場合である。
【００４３】
[0054]サービングセル７０４によってサービスされる第２の被サービスＵＥ７０８に向けられた制御／データの送信についてのスケジューリング情報を含む、サービングセルのスケジューリング情報を与えるための実施形態を本明細書で開示する。これらの実施形態の使用事例は、サービングセル７０４から第２の被サービスＵＥ７０８への制御／データ送信７１４の抑圧を助けるためのものである。制御／データチャネルは、ＰＣＦＩＣＨ、ＰＤＣＣＨ、ｅＰＤＣＣＨおよびＰＨＩＣＨなどを含み得る。
【００４４】
[0055]第１の実施形態では、第２の被サービスＵＥ７０８に向けられた送信７１４のスケジューリング情報は、特殊なＰＤＣＣＨまたはｅＰＤＣＣＨを通して第１の被サービスＵＥ７０６に搬送され得る。ここで、スケジューリング情報の実際のコンテンツは、ＰＤＣＣＨまたはｅＰＤＣＣＨのコンテンツ中で第１の被サービスＵＥに搬送され得る。この目的で、ＰＤＣＣＨまたはｅＰＤＣＣＨ中に指示が含められ得、たとえば、ＰＤＣＣＨまたはｅＰＤＣＣＨ中のスケジューリング情報の包含を示すために、新しいダウンリンク制御情報（ＤＣＩ：ｄｏｗｎｌｉｎｋ  ｃｏｎｔｒｏｌ  ｉｎｆｏｒｍａｔｉｏｎ）フォーマットおよび／または無線ネットワーク一時識別子（ＲＮＴＩ：ｒａｄｉｏ  ｎｅｔｗｏｒｋ  ｔｅｍｐｏｒａｒｙ  ｉｄｅｎｔｉｆｉｅｒ）値が使用され得る。ＵＥが、この指示をもつＰＤＣＣＨまたはｅＰＤＣＣＨを検出した場合、ＵＥは、ｅＰＤＣＣＨまたはＰＤＣＣＨのコンテンツが、第２の被サービスＵＥに向けられた送信のスケジューリング情報を与える目的のものであることを知る。
【００４５】
[0056]第２の実施形態では、第２の被サービスＵＥ７０８に向けられた送信７１４のスケジューリング情報が、ＰＤＳＣＨによって第１の被サービスＵＥ７０６に搬送され得る。ここで、スケジューリング情報の実際のコンテンツは、ＰＤＳＣＨのコンテンツ中でＵＥに搬送され得る。この実施形態は、スケジューリング情報の量が大きいときの特定使用についてのものであり得る。ＰＤＳＣＨをスケジュールするために特殊なＰＤＣＣＨまたはｅＰＤＣＣＨが使用される。たとえば、ＰＤＣＣＨまたはｅＰＤＣＣＨは、今度のＰＤＳＣＨがスケジューリング情報を搬送することをＵＥ７０６に通知し得る。この目的で、第１の実施形態の場合と同様に、この目的のために、新しいＤＣＩフォーマットが導入され得、および／またはいくつかのＲＮＴＩ値が予約され得る。ＰＤＳＣＨはブロードキャストされ得る。
【００４６】
[0057]第１および第２の実施形態の場合のようにスケジューリング情報を搬送する複数のＰＤＣＣＨ、ｅＰＤＣＣＨおよび／またはＰＤＳＣＨが、サービングセル７０４中のｅＮＢによって送信され得る。
【００４７】
[0058]１つのＰＤＳＣＨが１つ以上のスケジューリング情報を含んでいることがある。たとえば、１つのＰＤＳＣＨが、サービングセル７０４中でサービスされる複数のＵＥのスケジューリング情報を含んでいることがある。別の例では、１つのＰＤＳＣＨが複数のスケジューリング情報を含んでいることがあり、その各々は、サービングセル中の各ＵＥまたはＵＥのグループによって使用されるものである。
【００４８】
[0059]第１および第２の実施形態の変形体では、スケジューリング情報が、インスタンスごとに、たとえば、サブフレームごとに搬送され得、そのインスタンスについて有効であり得る。搬送された各スケジューリング情報は、スケジューリング情報が変わらない時間期間の間、有効すなわち「スティッキー（ｓｔｉｃｋｙ）」であり得る。有効期間は、サブフレームの数として指定され得る。有効期間は、スケジューリング情報の受信の時間に対応する開始時間と、スケジューリング情報の使用を明示的に終了または解放する信号の受信に対応する終了時間とを有し得る。（半永続的スケジューリングと同様に）有効期間は、それが次のスケジューリング情報の受信によって更新されるまで続き得る。これは、主に、オーバーヘッドを節約するものである。これは、第２の被サービスＵＥ  ＰＤＳＣＨ送信が半永続的スケジューリング（ＳＰＳ：ｓｅｍｉ−ｐｅｒｓｉｓｔｅｎｔ  ｓｃｈｅｄｕｌｉｎｇ）を利用するため、または第２の被サービスＵＥ  ＰＤＳＣＨ送信はＳＰＳに基づかないが、サービングセルによって使用されるスケジューリングパラメータが、ある時間期間にわたって変化しないためのいずれかであり得る。
【００４９】
[0060]搬送されたスケジューリング情報のある部分が、インスタンスについて有効であり得、スケジューリング情報のある他の部分が、暗黙的に、または各フィールド中の明示的スティッキー／非スティッキータグによってのいずれかでスティッキーにとどまり得る。
【００５０】
[0061]スケジューリング情報の複数のセットが、事前に上位レイヤシグナリングによって（たとえばＲＲＣを介して半静的に）ＵＥ７０６にシグナリングされ得、セットに対するインデックスが、各インスタンス（たとえばサブフレーム）において搬送される。ここで、ｅＮＢは、インデックスの形態でスケジューリング情報をＵＥに送る。ＵＥは、スケジューリング情報へのインデックスのあらかじめ定義されたマッピングに基づいて、インデックスからスケジューリング情報を決定する。下記は、インデックスと、ＰＤＳＣＨについての対応するスケジューリング情報との表の例示的な説明であり、ここで、ＳＦＢＣは空間周波数ブロックコード（ｓｐａｃｅ−ｆｒｅｑｕｅｎｃｙ  ｂｌｏｃｋ  ｃｏｄｅ）であり、ＬＣＤＤは大遅延巡回遅延ダイバーシティ（ｌａｒｇｅ  ｄｅｌａｙ  ｃｙｃｌｉｃ  ｄｅｌａｙ  ｄｉｖｅｒｓｉｔｙ）である。
【００５１】
【表１】
0006538046.tif 000002
【００５２】
[0062]第１および第２の実施形態では、スケジューリング情報は、限定はしないが、ＲＢ割振り、リソース割振りタイプ、ランク指示（ＲＩ：ｒａｎｋ  ｉｎｄｉｃａｔｉｏｎ）、プリコーディング行列インジケータ（ＰＭＩ：ｐｒｅｃｏｄｉｎｇ  ｍａｔｒｉｘ  ｉｎｄｉｃａｔｏｒ）、送信方式、変調およびコーディング方式（ＭＣＳ）、変調次数（ｍｏｄｕｌａｔｉｏｎ  ｏｒｄｅｒ）、ＨＡＲＱインデックス、冗長バージョン（ＲＶ：ｒｅｄｕｎｄａｎｃｙ  ｖｅｒｓｉｏｎ）、新規データインジケータ（ＮＤＩ：ｎｅｗ  ｄａｔａ  ｉｎｄｉｃａｔｏｒ）、電力レベル、ＲＳタイプ、送信タイプ（ｅＰＤＣＣＨまたはＰＤＳＣＨ）、ＤＭＲＳスクランブリング、開始シンボルインデックス、仮想セルＩＤ、レートマッチング情報を含み得る。
【００５３】
[0063]第１および第２の実施形態では、ＰＤＣＣＨ、ｅＰＤＣＣＨ、またはＰＤＳＣＨによって搬送されたスケジューリング情報は、部分的情報を含み得る。たとえば、スケジューリング情報は、各物理リソースブロックについてのサービングセルのＰＤＳＣＨ送信、および／または各リソース要素グループについてのサービングセルの制御送信の有／無の指示を含んでいることがある。
【００５４】
[0064]第３の実施形態では、オーバーヘッドを低減するために、ＰＤＳＣＨが、スケジューリング情報の詳細のすべてを搬送する代わりに、サービングセル７０４の半静的送信特性を搬送し得る。たとえば、スケジューリング情報中で瞬間的トラフィック対パイロット比を搬送する代わりに、ｅＮＢは、トラフィック対パイロット比の有効なセットをＵＥに搬送し得る。ＵＥ７０６は、そのようなＰＤＳＣＨをスケジュールするための特殊なＰＤＣＣＨを使用して、そのようなＰＤＳＣＨを通知され得る。この場合、新しいＤＣＩフォーマットまたは予約済みＲＮＴＩ値が、第２の実施形態に関して上記で説明したように使用され得る。ＰＤＳＣＨはまた、ブロードキャストされ得る。代替的に、サービングセルの半静的送信特性は、ＲＲＣシグナリングを介して、またはＳＩＢｘ（既存のＳＩＢｘまたは新しいＳＩＢｘのいずれか）中で搬送され得る。ＲＲＣシグナリングまたはＳＩＢがＰＤＳＣＨによって搬送されることに留意されたい。
【００５５】
[0065]ＰＤＳＣＨによって搬送される送信特性は、限定はしないが、スケジューリングにおける制限、たとえば、使用されるトラフィック対パイロット比（ＴＰＲ：ｔｒａｆｆｉｃ  ｔｏ  ｐｉｌｏｔ  ｒａｔｉｏ）値のセットと、送信方式または変調制限と、リソース割振りタイプ制限と、可能なＤＣＩサイズまたはフォーマットのセットと、可能なＲＮＴＩのセットと、使用される仮想セルＩＤとを含み得る。ここで、サービング基地局は、ＵＥに上記の送信特性のうちの１つ以上についての値のセット／範囲を与える。これは、潜在的な値を制限付きセットに限定することによって、ＵＥによるブラインド検出を改善し得る。
【００５６】
[0066]第４の実施形態では、ＲＮＴＩ値のセットがＵＥに与えられる。ＲＮＴＩ値は一般に、セル中の第２の被サービスＵＥに割り当てられるＣ−ＲＮＴＩ値に対応する。ＵＥにＲＮＴＩ値を与えることによって、ＵＥは、第２の被サービスＵＥのＰＤＣＣＨを復号し、除去し、ＰＤＳＣＨについてのスケジューリング情報を取得することができる。
【００５７】
[0067]サービングセルによってサービスされる第２の被サービスＵＥ７０８に向けられた制御／データの送信についてのスケジューリング情報が与えられない場合、または、そのようなスケジューリング情報が、介してたとえば第３の実施形態の場合のような送信特性の形態で部分的に与える場合、第１の被サービスＵＥ７０６は、未知のスケジューリングパラメータを検出するためにブラインド検出技法を採用し得る。これは、しかしながら、不正確な検出による複雑度の増大および性能の潜在的低下という犠牲を払って成立することがある。
【００５８】
[0068]図８は、サービングセル８０４からの信号による第１の被サービスＵＥ８０６における干渉の抑圧の例示的な方法を示す図８００である。第１の被サービスＵＥ８０６は、サービングセル８０４についてのスケジューリング情報８１６を受信する。スケジューリング情報８１６は、サービングセル８０４によってサービスされる少なくとも１つの第２の被サービスＵＥ８０８についてのものである。第１の被サービスＵＥ８０６は信号８１２／８１４を受信する。受信された信号は、第１の被サービスＵＥ８０６に向けられた第１の信号８１２と、少なくとも１つの第２の被サービスＵＥ８０８に向けられた第２の信号８１４とを含む。
【００５９】
[0069]第１の被サービスＵＥ８０６は、隣接セル８０２のチャネル推定より前にまたはそれの間（チャネル推定中）に第２の信号８１４による干渉を抑圧する。隣接セル８０２によって送信された信号８１０によるＵＥ８０６における干渉を抑圧するために、隣接セルのチャネル推定が実行される。第２の信号８１４の干渉抑圧は、受信されたスケジューリング情報８１６に基づく。第１の被サービスＵＥ８０６は、サービングセル８０４から少なくとも１つの第２の被サービスＵＥ８０８への制御チャネルまたはデータチャネルの送信８１４を抑圧することによって、干渉を抑圧し得る。制御チャネルは、ＰＣＦＩＣＨ、ＰＤＣＣＨ、ｅＰＤＣＣＨおよび物理ハイブリッド自動再送要求インジケータチャネル（ＰＨＩＣＨ：ｐｈｙｓｉｃａｌ  ｈｙｂｒｉｄ  ａｕｔｏｍａｔｉｃ  ｒｅｐｅａｔ  ｒｅｑｕｅｓｔ  ｉｎｄｉｃａｔｏｒ  ｃｈａｎｎｅｌ）のうちの１つ以上を含み得る。
【００６０】
[0070]一構成では、第１の被サービスＵＥ８０６は、ダウンリンク制御情報（ＤＣＩ）フォーマットをもつＰＤＣＣＨまたは発展型ｅＰＤＣＣＨ中でスケジューリング情報を受信する。ＤＣＩフォーマットは、第２の信号８１４の干渉除去を行うための専用のＤＣＩフォーマットであり得る。第１の被サービスＵＥ８０６は、無線リソース制御（ＲＣＣ）シグナリングを通して無線ネットワーク一時識別子（ＲＮＴＩ）のセットを受信し得、ここで、ＲＮＴＩのセットはユニキャストＲＮＴＩのセットからのものである。第１の被サービスＵＥ８０６は、ＲＮＴＩのセットのうちのＲＮＴＩに基づいてスケジューリング情報を復号し得る。
【００６１】
[0071]別の構成では、スケジューリング情報は、サービングセルから受信されたＰＤＳＣＨを除去するための情報を含むＰＤＣＣＨを含む。また別の構成では、スケジューリング情報は、複数のＰＤＳＣＨを除去するための情報を含むＰＤＣＣＨを含む。複数のＰＤＳＣＨはサービングセルからのものであり得る。別の構成では、スケジューリング情報は、サービングセルから受信されるべきＰＤＳＣＨをスケジュールするための情報を含むＰＤＣＣＨを含み、ＰＤＳＣＨはスケジューリング情報をさらに含む。
【００６２】
[0072]図９は、サービングセルによってサービスされる第１の被サービスＵＥのワイヤレス通信の方法のフローチャート９００である。ステップ９０２において、第１の被サービスＵＥは、サービングセルについてのスケジューリング情報を受信する。スケジューリング情報は、サービングセルによってサービスされる少なくとも１つの第２の被サービスＵＥについてのものである。スケジューリング情報は、物理ダウンリンク制御チャネル（ＰＤＣＣＨ）または発展型ＰＤＣＣＨ（ｅＰＤＣＣＨ）中で受信され得る。ＰＤＣＣＨまたはｅＰＤＣＣＨは、第２の信号の干渉除去を行うための専用のＤＣＩフォーマットを使用して受信され得る。スケジューリング情報を受信することは、無線リソース制御（ＲＣＣ）シグナリングを通して無線ネットワーク一時識別子（ＲＮＴＩ）のセットを受信することを含み得、ＲＮＴＩのセットはユニキャストＲＮＴＩのセットからのものであり、ＰＤＣＣＨまたはｅＰＤＣＣＨは、ＲＮＴＩのセットのうちのＲＮＴＩを使用して受信される。スケジューリング情報は、サービングセルから受信されたＰＤＳＣＨを除去するための情報、または複数のＰＤＳＣＨを除去するための情報を含み得る。
【００６３】
[0073]ステップ９０４において、第１の被サービスＵＥは信号を受信する。受信された信号は、第１の被サービスＵＥに向けられた第１の信号と、少なくとも１つの第２の被サービスＵＥに向けられた第２の信号とを含む。たとえば、第１の信号と第２の信号は、重複しない信号であり得る。別の例では、第１の信号と第２の信号は、ＭＵ−ＭＩＭＯ方法を介して送信された重複する信号であり得る。
【００６４】
[0074]ステップ９０６において、第１の被サービスＵＥは、チャネル推定プロシージャより前にまたはその間（チャネル推定プロシージャ中）に第２の信号による干渉を抑圧する。第２の信号の干渉抑圧は、受信されたスケジューリング情報に基づく。第２の信号の干渉抑圧は、サービングセルから少なくとも１つの第２の被サービスＵＥへの制御チャネルまたはデータチャネルの送信を抑圧することを含み得る。制御チャネルは、ＰＣＦＩＣＨ、ＰＤＣＣＨ、ｅＰＤＣＣＨおよびＰＨＩＣＨのうちの１つ以上を含む。第２の信号の干渉除去または抑圧は、ハード除去、ソフト除去、ハードまたはソフトパンクチャリング、ＭＬなどのジョイント復調または検出、反復的除去、検出、および復号など、干渉の影響を低減／緩和するものである技法を使用して実行され得る。
【００６５】
[0075]チャネル推定プロシージャは、隣接セルから来る干渉送信を抑圧する際に使用される隣接セルのチャネル推定に対応し得る。隣接セルからの送信の干渉除去または抑圧は、干渉の影響を低減／緩和するものである技法を使用して実行され得、ハード除去、ソフト除去、ハードまたはソフトパンクチャリング、ＭＬなどのジョイント復調または検出、反復的除去、検出、および復号などの技法を含む。チャネル推定プロシージャは、サービングセルのチャネル推定に対応し得る。
【００６６】
[0076]一実装形態では、スケジューリング情報を受信するステップは、第２の被サービスＵＥに向けられたＰＤＳＣＨについてのスケジューリング情報を含んでいるＰＤＣＣＨまたはｅＰＤＣＣＨを受信することを含み得、ここにおいて、ＰＤＳＣＨは、第２の被サービスＵＥについてのスケジューリング情報を含んでいる。別の実装形態では、スケジューリング情報を受信するステップは、ＲＮＴＩのセットを受信することと、ＲＮＴＩを使用して第２の被サービスＵＥに向けられたＰＤＣＣＨまたはｅＰＤＣＣＨを復号することと、復号されたＰＤＣＣＨまたは復号されたｅＰＤＣＣＨから第２の被サービスＵＥについてのスケジューリング情報を取得することとを含み得る。
【００６７】
[0077]図１０は、例示的な装置１００２中の異なるモジュール／手段／構成要素間のデータフローを示す概念データフロー図１０００である。本装置はＵＥ、たとえば、図８に示された第１の被サービスＵＥであり得る。第１の被サービスＵＥ１００２は、受信モジュール１００４と、スケジューリング情報モジュール１００６と、サービングセル信号モジュール１００８と、干渉抑圧モジュール１０１０とを含む。
【００６８】
[0078]受信モジュール１００４は、装置１００２と第２の被サービスＵＥ１０５２とをサービスするサービングセル１０５０からの信号１０２０、１０２２、１０２４を受信する。受信された信号１０２０、１０２２  １０２４は、スケジューリング情報またはサービングセル信号に関係し得る。サービングセル信号は、第１の被サービスＵＥ１００２に向けられた制御／データ信号１０２０と、第２の被サービスＵＥ１０５２に向けられた干渉制御／データ信号１０２２とであり得る。スケジューリング情報信号１０２４は、第２の被サービスＵＥ１０５２についてのスケジューリング情報を含み得る。
【００６９】
[0079]スケジューリング情報信号１０２４は、本装置をサービスするサービングセルについてのスケジューリング情報を受信する、スケジューリング情報モジュール１００６に与えられ得る。上述のように、スケジューリング情報は、サービングセル１０５０によってサービスされる第２の被サービスＵＥ１０５２についてのものである。受信モジュール１００４によって受信されたサービングセル信号１０２０、１０２２は、サービングセル信号モジュール１００８に与えられる。上述のように、受信された信号は、第１の被サービスＵＥ１００２ＵＥに向けられた第１の信号１０２０と、少なくとも１つの第２の被サービスＵＥ１０５２に向けられた第２の信号１０２２とを含む。
【００７０】
[0080]干渉抑圧モジュール１０１０は、隣接セル（図示せず）のチャネル推定中に第２の信号１０２２による干渉を除去する。干渉抑圧モジュール１０１０による干渉抑圧は、受信されたスケジューリング情報１０２４に基づく。
【００７１】
[0081]本装置は、図９の上述のフローチャート中のアルゴリズムのステップの各々を実行する追加のモジュールを含み得る。したがって、図９の上述のフローチャート中の各ステップは１つのモジュールによって実行され得、本装置は、それらのモジュールのうちの１つ以上を含み得る。それらのモジュールは、述べられたプロセス／アルゴリズムを行うように特に構成された１つ以上のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００７２】
[0082]図１１は、処理システム１１１４を採用する装置１００２’のためのハードウェア実装形態の一例を示す図１１００である。処理システム１１１４は、バス１１２４によって概略的に表されるバスアーキテクチャを用いて実装され得る。バス１１２４は、処理システム１１１４の特定の適用例および全体的な設計制約に応じて、任意の数の相互接続バスおよびブリッジを含み得る。バス１１２４は、プロセッサ１１０４によって表される１つ以上のプロセッサおよび／またはハードウェアモジュールと、モジュール１００４、１００６、１００８、１０１０と、コンピュータ可読媒体／メモリ１１０６とを含む様々な回路を互いにリンクする。バス１１２４はまた、タイミングソース、周辺機器、電圧調整器、および電力管理回路など、様々な他の回路をリンクし得るが、これらの回路は当技術分野においてよく知られており、したがって、これ以上説明しない。
【００７３】
[0083]処理システム１１１４はトランシーバ１１１０に結合され得る。トランシーバ１１１０は１つ以上のアンテナ１１２０に結合される。トランシーバ１１１０は、伝送媒体を介して様々な他の装置と通信するための手段を与える。トランシーバ１１１０は、１つ以上のアンテナ１１２０から信号を受信し、受信された信号から情報を抽出し、抽出された情報を処理システム１１１４、特に受信モジュール１００４に与える。さらに、トランシーバ１１１０は、処理システム１１１４から情報を受信し、受信された情報に基づいて、１つ以上のアンテナ１１２０に適用されるべき信号を生成する。処理システム１１１４は、コンピュータ可読媒体／メモリ１１０６に結合されたプロセッサ１１０４を含む。プロセッサ１１０４は、コンピュータ可読媒体／メモリ１１０６に記憶されたソフトウェアの実行を含む一般的な処理を担当する。ソフトウェアは、プロセッサ１１０４によって実行されたとき、処理システム１１１４に、特定の装置のための上記で説明された様々な機能を実行させる。コンピュータ可読媒体／メモリ１１０６はまた、ソフトウェアを実行するときにプロセッサ１１０４によって操作されるデータを記憶するために使用され得る。処理システムは、モジュール１００４、１００６、１００８および１０１０のうちの少なくとも１つをさらに含む。それらのモジュールは、プロセッサ１１０４中で動作するか、コンピュータ可読媒体／メモリ１１０６中に常駐する／記憶されたソフトウェアモジュールであるか、プロセッサ１１０４に結合された１つ以上のハードウェアモジュールであるか、またはそれらの何らかの組合せであり得る。処理システム１１１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【００７４】
[0084]一構成では、ワイヤレス通信のための装置１００２／１００２’は、本装置をサービスするサービングセルについてのスケジューリング情報を受信するための手段を含む。スケジューリング情報は、サービングセルによってサービスされる少なくとも１つの第２の被サービスＵＥについてのものである。装置１００２／１００２’はまた、本装置に向けられた第１の信号と、少なくとも１つの第２の被サービスＵＥに向けられた第２の信号とを含む信号を受信するための手段を含む。装置１００２／１００２’は、隣接セルのチャネル推定の間に第２の信号による干渉を抑圧するための手段をさらに含み、干渉抑圧は、受信されたスケジューリング情報に基づく。
【００７５】
[0085]上述の手段は、上述の手段によって具陳された機能を実行するように構成された、装置１００２、および／または装置１００２’の処理システム１１１４の上述のモジュールのうちの１つ以上であり得る。上記で説明したように、処理システム１１１４は、ＴＸプロセッサ６６８と、ＲＸプロセッサ６５６と、コントローラ／プロセッサ６５９とを含み得る。したがって、一構成では、上述の手段は、上述の手段によって具陳された機能を実行するように構成されたＴＸプロセッサ６６８と、ＲＸプロセッサ６５６と、コントローラ／プロセッサ６５９とであり得る。
【００７６】
[0086]開示したプロセス／フローチャートにおけるステップの特定の順序または階層は、例示的な手法の一例であることを理解されたい。設計上の選好に基づいて、プロセス／フローチャート中のステップの特定の順序または階層は再構成され得ることを理解されたい。さらに、いくつかのステップは組み合わされるかまたは省略され得る。添付の方法クレームは、様々なステップの要素を例示的な順序で提示したものであり、提示された特定の順序または階層に限定されるものではない。
【００７７】
[0087]以上の説明は、当業者が本明細書で説明された様々な態様を実行できるようにするために提供される。これらの態様に対する様々な変更は当業者には容易に明らかであり、本明細書で定義した一般的原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つ以上の」を意味するものである。「例示的」という単語は、本明細書では「例、事例、または例示の働きをすること」を意味するために使用する。「例示的」として本明細書で説明するいかなる態様も、必ずしも他の態様よりも好適または有利なものと解釈すべきではない。別段に明記されていない限り、「いくつかの」という語は「１つ以上の」を表す。「Ａ、Ｂ、またはＣのうちの少なくとも１つ」、「Ａ、Ｂ、およびＣのうちの少なくとも１つ」、ならびに「Ａ、Ｂ、Ｃ、またはそれらの任意の組合せ」などの組合せは、Ａ、Ｂ、および／またはＣの任意の組合せを含み、Ａのうちの複数個、Ｂのうちの複数個、またはＣのうちの複数個を含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ただし、いずれのそのような組合せも、Ａ、Ｂ、またはＣのうちの１つ以上のメンバーを含み得る。当業者に知られている、または後に知られることになる、本開示全体にわたって説明された様々な態様の要素のすべての構造的および機能的均等物は、参照により本明細書に明確に組み込まれ、特許請求の範囲に包含されるものである。さらに、本明細書で開示されたいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
以下に、出願当初の特許請求の範囲に記載された発明を付記する。
［Ｃ１］
サービングセルによってサービスされる第１の被サービスユーザ機器（ＵＥ）のワイヤレス通信の方法であって、
前記サービングセルについてのスケジューリング情報を受信することと、前記スケジューリング情報は、前記サービングセルによってサービスされる少なくとも１つの第２の被サービスＵＥについてのものであり、
信号を受信することと、前記受信された信号は、前記第１の被サービスＵＥに向けられた第１の信号と、前記少なくとも１つの第２の被サービスＵＥに向けられた第２の信号とを備え、
チャネル推定プロシージャより前にまたは当該チャネル推定プロシージャ中に、前記第２の信号による干渉を抑圧することと、前記干渉の抑圧は、前記受信されたスケジューリング情報に基づく、
を備える、方法。
［Ｃ２］
前記第２の信号による干渉を抑圧することは、前記サービングセルから前記少なくとも１つの第２の被サービスＵＥへの制御チャネルまたはデータチャネルの送信を抑圧することを備え、Ｃ１の方法。
［Ｃ３］
前記制御チャネルは、物理制御フォーマットインジケータチャネル（ＰＣＦＩＣＨ）、物理ダウンリンク制御チャネル（ＰＤＣＣＨ）、発展型ＰＤＣＣＨ（ｅＰＤＣＣＨ）および物理ハイブリッド自動再送要求インジケータチャネル（ＰＨＩＣＨ）のうちの１つ以上を含む、Ｃ２の方法。
［Ｃ４］
前記チャネル推定プロシージャは、隣接セルのチャネル推定を実行することをさらに備え、
前記方法は、前記チャネル推定に基づいて、前記隣接セルからの干渉送信を除去することをさらに備える、
Ｃ１の方法。
［Ｃ５］
前記チャネル推定プロシージャは、前記サービングセルまたは隣接セルのうちの１つのためのものである、Ｃ１の方法。
［Ｃ６］
前記第１の信号と前記第２の信号とは、マルチユーザ多入力多出力（ＭＵ−ＭＩＭＯ）方法を介して送信される重複する信号である、Ｃ１の方法。
［Ｃ７］
前記スケジューリング情報は、物理ダウンリンク制御チャネル（ＰＤＣＣＨ）または発展型ＰＤＣＣＨ（ｅＰＤＣＣＨ）において受信される、Ｃ１の方法。
［Ｃ８］
前記ＰＤＣＣＨまたは前記ｅＰＤＣＣＨは、前記第２の信号の干渉除去を行うための専用のＤＣＩフォーマットを使用して受信される、Ｃ７の方法。
［Ｃ９］
スケジューリング情報を受信することは、無線リソース制御（ＲＣＣ）シグナリングを通して無線ネットワーク一時識別子（ＲＮＴＩ）のセットを受信することを備え、ＲＮＴＩの前記セットはユニキャストＲＮＴＩのセットからのものであり、前記ＰＤＣＣＨまたは前記ｅＰＤＣＣＨは、ＲＮＴＩの前記セットのうちの１つのＲＮＴＩを使用して受信される、Ｃ７の方法。
［Ｃ１０］
前記スケジューリング情報は、前記サービングセルから受信されたＰＤＳＣＨを除去するための情報を含む、Ｃ１の方法。
［Ｃ１１］
前記スケジューリング情報は、複数のＰＤＳＣＨを除去するための情報を含む、Ｃ１の方法。
［Ｃ１２］
スケジューリング情報を受信することは、前記ＵＥに向けられたＰＤＳＣＨについてのスケジューリング情報を含むＰＤＣＣＨ／またはｅＰＤＣＣＨを受信することを備え、前記ＰＤＳＣＨは、第２の被サービスＵＥについてのスケジューリング情報を含む、Ｃ１の方法。
［Ｃ１３］
スケジューリング情報を受信することは、
無線ネットワーク一時識別子（ＲＮＴＩ）のセットを受信することと、
前記ＲＮＴＩを使用して第２の被サービスＵＥに向けられたＰＤＣＣＨまたはｅＰＤＣＣＨを復号することと、
前記復号されたＰＤＣＣＨまたは前記復号されたｅＰＤＣＣＨから第２の被サービスＵＥについての前記スケジューリング情報を取得することと
を備える、Ｃ１の方法。
［Ｃ１４］
ワイヤレス通信のための装置であって、
メモリと、
前記メモリに結合された少なくとも１つのプロセッサと
を備え、前記少なくとも１つのプロセッサは、
前記装置をサービスするサービングセルについてのスケジューリング情報を受信することと、前記スケジューリング情報は、前記サービングセルによってサービスされる少なくとも１つの第２の被サービスＵＥについてのものであり、
信号を受信することと、前記受信された信号は、前記装置に向けられた第１の信号と、前記少なくとも１つの第２の被サービスＵＥに向けられた第２の信号とを備え、
チャネル推定プロシージャより前にまたは当該チャネル推定プロージャ中に、前記第２の信号による干渉を抑圧することと、前記干渉の抑圧は、前記受信されたスケジューリング情報に基づく、
を行うように構成された、装置。
［Ｃ１５］
前記第２の信号による干渉を抑圧するために、前記少なくとも１つのプロセッサは、前記サービングセルから前記少なくとも１つの第２の被サービスＵＥへの制御チャネルまたはデータチャネルの送信を抑圧するように構成された、Ｃ１４の装置。
［Ｃ１６］
前記制御チャネルは、物理制御フォーマットインジケータチャネル（ＰＣＦＩＣＨ）、物理ダウンリンク制御チャネル（ＰＤＣＣＨ）、発展型ＰＤＣＣＨ（ｅＰＤＣＣＨ）および物理ハイブリッド自動再送要求インジケータチャネル（ＰＨＩＣＨ）のうちの１つ以上を含む、Ｃ１５の装置。
［Ｃ１７］
前記チャネル推定プロシージャは、隣接セルのチャネル推定を実行することをさらに備え、
前記少なくとも１つのプロセッサは、前記チャネル推定に基づいて、前記隣接セルからの干渉送信を除去するようにさらに構成された、
Ｃ１４の装置。
［Ｃ１８］
前記チャネル推定プロシージャは、前記サービングセルまたは隣接セルのうちの１つのためのものである、Ｃ１４の装置。
［Ｃ１９］
前記第１の信号と前記第２の信号とは、マルチユーザ多入力多出力（ＭＵ−ＭＩＭＯ）装置を介して送信される重複する信号である、Ｃ１４の装置。
［Ｃ２０］
前記スケジューリング情報は、物理ダウンリンク制御チャネル（ＰＤＣＣＨ）または発展型ＰＤＣＣＨ（ｅＰＤＣＣＨ）において受信される、Ｃ１４の装置。
［Ｃ２１］
前記ＰＤＣＣＨまたは前記ｅＰＤＣＣＨは、前記第２の信号の干渉除去を行うための専用のＤＣＩフォーマットを使用して受信される、Ｃ２０の装置。
［Ｃ２２］
前記少なくとも１つのプロセッサは、無線リソース制御（ＲＣＣ）シグナリングを通して無線ネットワーク一時識別子（ＲＮＴＩ）のセットように構成されることによって、スケジューリング情報を受信し、ＲＮＴＩの前記セットはユニキャストＲＮＴＩのセットからのものであり、前記ＰＤＣＣＨまたは前記ｅＰＤＣＣＨは、ＲＮＴＩの前記セットのうちの１つのＲＮＴＩを使用して受信される、Ｃ２０の装置。
［Ｃ２３］
前記スケジューリング情報は、前記サービングセルから受信されたＰＤＳＣＨを除去するための情報を含む、Ｃ１４の装置。
［Ｃ２４］
前記スケジューリング情報は、複数のＰＤＳＣＨを除去するための情報を含む、Ｃ１４の装置。
［Ｃ２５］
前記少なくとも１つのプロセッサは、前記ＵＥに向けられたＰＤＳＣＨについてのスケジューリング情報を含むＰＤＣＣＨまたはｅＰＤＣＣＨを受信するように構成されることによって、スケジューリング情報を受信し、前記ＰＤＳＣＨは、第２の被サービスＵＥについてのスケジューリング情報を含む、Ｃ１４の装置。
［Ｃ２６］
前記少なくとも１つのプロセッサが、
無線ネットワーク一時識別子（ＲＮＴＩ）のセットを受信することと、
前記ＲＮＴＩを使用して第２の被サービスＵＥに向けられたＰＤＣＣＨまたはｅＰＤＣＣＨを復号することと、
前記復号されたＰＤＣＣＨまたは前記復号されたｅＰＤＣＣＨから第２の被サービスＵＥについての前記スケジューリング情報を取得することと
を行うように構成されることによって、スケジューリング情報を受信する、Ｃ１４の装置。
［Ｃ２７］
ワイヤレス通信のための装置であって、
前記装置をサービスするサービングセルについてのスケジューリング情報を受信するための手段と、前記スケジューリング情報は、前記サービングセルによってサービスされる少なくとも１つの第２の被サービスＵＥについてのものであり、
信号を受信するための手段と、前記受信された信号は、前記装置に向けられた第１の信号と、前記少なくとも１つの第２の被サービスＵＥに向けられた第２の信号とを備え、チャネル推定プロシージャより前にまたはチャネル推定プロシージャ中に前記第２の信号による干渉を抑圧するための手段と、前記干渉の抑圧は、前記受信されたスケジューリング情報に基づく、
を備える、装置。
［Ｃ２８］
前記第２の信号による干渉を抑圧するための前記手段は、前記サービングセルから前記少なくとも１つの第２の被サービスＵＥへの制御チャネルまたはデータチャネルの送信を抑圧するように構成された、Ｃ２７の装置。
［Ｃ２９］
前記チャネル推定プロシージャは、隣接セルのチャネル推定を実行することをさらに備え、
前記装置は、前記チャネル推定に基づいて、前記隣接セルからの干渉送信を除去するための手段をさらに備える、
Ｃ２７の装置。
［Ｃ３０］
サービングセルによってサービスされる第１の被サービスユーザ機器（ＵＥ）のコンピュータ可読媒体に記憶されたコンピュータプログラム製品であって、前記コンピュータ可読媒体は、少なくとも１つのプロセッサ上で実行されたとき、前記少なくとも１つのプロセッサに、
前記第１の被サービスＵＥをサービスする前記サービングセルについてのスケジューリング情報を受信することと、前記スケジューリング情報は、前記サービングセルによってサービスされる少なくとも１つの第２の被サービスＵＥについてのものであり、
信号を受信することと、前記受信された信号は、前記第１の被サービスＵＥに向けられた第１の信号と、前記少なくとも１つの第２の被サービスＵＥに向けられた第２の信号とを備え、
チャネル推定プロシージャより前にまたは当該チャネル推定プロシージャ中に前記第２の信号による干渉を抑圧することと、前記干渉の抑圧は、前記受信されたスケジューリング情報に基づく、
を行わせるコードを備える、コンピュータプログラム製品。
【図１】
0006538046.tif 000003
【図２】
0006538046.tif 000004
【図３】
0006538046.tif 000005
【図４】
0006538046.tif 000006
【図５】
0006538046.tif 000007
【図６】
0006538046.tif 000008
【図７】
0006538046.tif 000009
【図８】
0006538046.tif 000010
【図９】
0006538046.tif 000011
【図１０】
0006538046.tif 000012
【図１１】
0006538046.tif 000013